(57)【要約】【課題】サイドカム方式のレンズ鏡筒において、包含される複数の移動部材の光軸方向からの組み立てを容易とする。【解決手段】光学素子を各々保持する複数の移動部材と、移動部材を光軸方向に移動可能に支持する複数のガイドバーと、移動部材の各々と一体に保持されるカム係合部材と、移動部材の側方に配置され、カム係合部材と係合する複数のカム溝を有する筒状のカム部材と、ガイドバーが固定される固定部材と、を備えた光学装置において、移動部材の少なくとも一つは、ガイドバー、他の移動部材、及び固定部材の何れかに対して、組立時に回転可能に係合する回転係合部を配し、カム係合部材は、回転係合部の回転軸周りの回転により前記カム溝に係合可能とする。【選択図】  図１
2019211700.tif 000002
【特許請求の範囲】
【請求項１】
光学素子を各々保持する複数の移動部材と、
前記移動部材を光軸方向に移動可能に支持する複数のガイドバーと、
前記移動部材の各々と一体に保持されるカム係合部材と、
前記移動部材の側方に配置され、前記カム係合部材と係合する複数のカム溝を有する筒状のカム部材と、
前記ガイドバーが固定される固定部材と、を備え、
前記移動部材の少なくとも一つは、前記ガイドバー、他の移動部材、及び前記固定部材の何れかに対して、組立時に回転可能に係合する回転係合部を有し、
前記カム係合部材は、前記回転係合部の回転軸周りの回転により前記カム溝に係合可能であることを特徴とする光学装置。
【請求項２】
前記他の移動部材及び前記固定部材の少なくとも一つは、前記少なくとも一つの移動部材と当接して組み付け時の前記カム溝と前記カム係合部材の前記光軸方向の位置を揃える当接面を有することを特徴とする請求項１に記載の光学装置。
【請求項３】
前記回転係合部は、前記少なくとも一つの移動部材に設けられて前記ガイドバーが挿入されたスリーブであり、
前記少なくとも一つの移動部材は前記ガイドバーに対して回転可能に係合することを特徴とする請求項１又は２に記載の光学装置。
【請求項４】
前記少なくとも一つの移動部材は、前記回転係合部の回転軸周りの回転の前の状態において、前記固定部材の内壁又は前記ガイドバーに当接して前記少なくとも一つの移動部材の光軸に垂直な面内の姿勢を安定させるガイド面を有することを特徴とする請求項３に記載の光学装置。
【請求項５】
前記回転係合部は、前記固定部材及び前記他の移動部材の少なくとも一つに設けられた前記少なくとも一つの移動部材が光軸中心に回転可能に収容される略円筒状の壁部であり、
前記少なくとも一つの移動部材は光軸に対して回転可能となるように前記壁部と係合することを特徴とする請求項１又は２に記載の光学装置。
【請求項６】
前記少なくとも一つの移動部材と前記壁部との隙間は、前記ガイドバーと前記少なくとも一つの移動部材との間の隙間よりも大きいことを特徴とする請求項５に記載の光学装置。
【請求項７】
前記壁部の端面内側には、内側に向けて傾斜するテーパー面が設けられていることを特徴とする請求項５又は６に記載の光学装置。
【請求項８】
前記他の移動部材及び前記固定部材の少なくとも一つは、前記回転係合部の回転軸周りの前記少なくとも一つの移動部材の回転の際に、前記カム係合部材を前記カム溝の方向に案内する案内部を有することを特徴とする請求項１乃至７の何れか１項に記載の光学装置。
【請求項９】
前記移動部材は、前記移動部材が有するＵ溝部が前記ガイドバーと係合することにより前記ガイドバーにより支持され、
前記固定部材に設けられた前記案内部は、前記Ｕ溝部が設けられた部位と対向して設けられることを特徴とする請求項８に記載の光学装置。
【請求項１０】
請求項１乃至９の何れか１項に記載の光学装置と、
前記光学装置を介して得られた像を撮像する撮像素子と、
を備えることを特徴とする撮像装置。
【請求項１１】
光学素子を各々保持する複数の移動部材と、
前記移動部材を光軸方向に移動可能に支持する複数のガイドバーと、
前記移動部材の各々と一体に保持されるカム係合部材と、
前記移動部材の側方に配置され、前記カム係合部材と係合する複数のカム溝を有する筒状のカム部材と、
前記ガイドバーが固定される固定部材と、を備えた光学素子の製造方法であって、
前記ガイドバー、他の移動部材、及び前記固定部材の何れかを基準として、前記固定部材に対して前記移動部材の少なくとも一つを所定の角度傾けた状態で、前記少なくとも一つの移動部材を前記光軸方向に移動させて、前記光軸方向において前記固定部材と所定の位置関係とする工程と、
前記ガイドバー、前記他の移動部材、及び前記固定部材の何れかを中心として前記少なくとも一つの移動部材を回転させて、前記少なくとも一つの移動部材が保持する前記カム係合部材を前記カム部材の対応するカム溝に係合させる工程と、
を含むことと特徴とする光学装置の製造方法。
【請求項１２】
前記移動部材は、前記ガイドバーが挿入されるスリーブを有し、
前記少なくとも一つの移動部材は前記スリーブを介して前記ガイドバーに沿って前記光軸方向に移動され、
前記少なくとも一つの移動部材は、前記ガイドバーを中心として回転されることを特徴とする請求項１１に記載の光学装置の製造方法。
【請求項１３】
前記少なくとも一つの移動部材は、前記固定部材及び前記他の移動部材の少なくとも一つに設けられた略円筒状の壁部の内に収容されることで前記光軸方向において前記固定部材と所定の位置関係とされ、
前記少なくとも一つの移動部材は前記壁部の内で光軸を中心に回転されることを特徴とする請求項１１に記載の光学装置の製造方法。
【請求項１４】
前記壁部が設けられた前記固定部材及び前記他の移動部材の少なくとも一つと前記少なくとも一つの移動部材とは、前記壁部を連結部材として、前記固定部材及び前記他の移動部材の少なくとも一つと前記少なくとも一つの移動部材とが同時に回転を始められることを特徴とする請求項１３に記載の光学装置の製造方法。
【発明の詳細な説明】
【技術分野】
【０００１】
本発明は、光学装置、該光学装置を用いた撮像装置、及び該光学装置の製造方法に関する。
【背景技術】
【０００２】
レンズ鏡筒に例示される光学装置では、レンズや光学フィルタ等の光学素子が各々対応する保持部材により保持されており、これらは１つの駆動部により略同時に駆動される。そして、これら保持部材を複数同時に駆動させるための技術として、カム部材を用いたものが知られている。カム部材を用いるレンズ鏡筒には、保持部材が円筒状のカム部材の内部を移動するインナーカム方式のレンズ鏡筒や、保持部材の側面にカム部材を配置したサイドカム方式のレンズ鏡筒がある。
【０００３】
サイドカム方式のレンズ鏡筒に関して、特許文献１に組み立てを容易に行うための技術が例示されている。この技術を適用するズームレンズ鏡筒の本体部には、鏡筒の側方（光軸と垂直な方向）に、鏡筒内に収容されるレンズ、保持部材、及びガイド部材が挿入可能な開口部が設けられている。
【０００４】
レンズ鏡筒内に組み込まれる構成として、３つのレンズ、これらレンズ各々保持する３つのレンズ枠体（保持部材）、及び該レンズ枠体を光軸方向に移動可能に支持する３本の支持棒が例示されている。これらは、予め組み上げられた状態で、前述した開口部からレンズ鏡筒内に取り付けられる。その際、レンズ保持枠に設けられたカムピン（カム係合部材）が各々所定の配置となるように、支持棒に対するレンズ保持枠の光軸方向の配置が定められている。カム溝が設けられたサイドカム筒は、これらカムピン各々が対応するカム溝に嵌合するように、鏡筒側方から所定の位置に取り付けられる。以上の工程を経ることにより、各保持部材のカムピンがサイドカムに設けられたカム溝に嵌合される。
【先行技術文献】
【特許文献】
【０００５】
【特許文献１】特開平５−１８８２５６号公報（特許第３１２０８８６号公報）
【発明の概要】
【発明が解決しようとする課題】
【０００６】
ここで、サイドカムのカム溝にカムピンを係合させて使用する構成では、使用時に各々のカムピンの位置が光軸方向で重なる範囲を有する場合がある。このような構成の場合には、サイドカムの表面で、複数のカム溝が光軸方向に平行に並んでしまう。従って、サイドカムの周方向において各々のカムピンの位置が離れるように、カム溝を配置しなければ組み立てが難しくなる。
【０００７】
特許文献１に記載されたレンズ鏡筒の組み立て方法の場合、レンズ枠体各々に形成されたカムピンを対応するカム溝に対して略同時に嵌合させることが好ましい。このため、サイドカム上でこの条件に合致したカム溝の形成範囲は、光軸と直交する組み立て方向に近い角度に制約される。同時に、カムピンの配置も、サイドカムを取り付ける際のレンズ鏡筒本体部へ挿入する方向に近い角度の範囲に制約される。
【０００８】
即ち、特許文献１に開示される側方から組み立てる方法では、組み立て方向により制約された範囲に全てのカム溝及びカムピンを配置する必要がある。従って、サイドカム方式のズームレンズ鏡筒においてレンズ等の枚数が増え、移動部材の数が多くなるほど、特許文献１に開示する方法ではカム溝やカムピンを好適に設計することが困難になる。
【０００９】
本発明はこのような状況に鑑みたものであって、レンズ鏡筒に例示される光学装置において、包含される複数の移動部材の光軸方向からの組み立てを容易とすることを目的とする。
【課題を解決するための手段】
【００１０】
上記課題を解決するために、本発明の一態様に係る光学装置は、
光学素子を各々保持する複数の移動部材と、
前記移動部材を光軸方向に移動可能に支持する複数のガイドバーと、
前記移動部材の各々と一体に保持されるカム係合部材と、
前記移動部材の側方に配置され、前記カム係合部材と係合する複数のカム溝を有する筒状のカム部材と、
前記ガイドバーが固定される固定部材と、を備え、
前記移動部材の少なくとも一つは、前記ガイドバー、他の移動部材、及び前記固定部材の何れかに対して、組立時に回転可能に係合する回転係合部を有し、
前記カム係合部材は、前記回転係合部の回転軸周りの回転により前記カム溝に係合可能であることを特徴とする。
【発明の効果】
【００１１】
本発明によれば、包含される複数の移動部材の光軸方向からの組み立てを容易とする光学装置及び該光学装置を用いた撮像装置を提供できる。
【図面の簡単な説明】
【００１２】
【図１】本発明の第１の実施例に係るレンズ鏡筒における第１の移動枠の組み付け手順の説明図
【図２】図１に例示したレンズ鏡筒の斜視図
【図３】図１に例示したレンズ鏡筒の断面図
【図４】図１に例示したレンズ鏡筒の分解斜視図
【図５】図１に例示したレンズ鏡筒に用いたカム部材の斜視図
【図６】図１に例示したレンズ鏡筒における第２の移動枠の組み付け手順の説明図
【図７】図１に例示したレンズ鏡筒における第３の移動枠の組み付け手順の説明図
【図８】図１に例示したレンズ鏡筒において、使用時の姿勢で移動枠をカム部材に挿入する場合の、カム部材とカム係合部材の位置関係の説明図
【図９】本発明の第２の実施例に係るレンズ鏡筒における移動枠の組み付け手順の説明図
【発明を実施するための形態】
【００１３】
以下に、本発明を実施するための例示的な実施例について、添付図面を参照して詳細に説明する。ただし、以下の実施例で説明される寸法、材料、及び構成要素の相対的な位置等は任意であり、本発明が適用される装置の構成又は様々な条件に応じて変更できる。また、同一であるか又は機能的に類似している要素を示す場合は、図面間で同じ参照符号を用いる。
【００１４】
＜第１の実施例＞
以下、図１から図７を参照して、本発明の第１の実施例に係るレンズ鏡筒について説明する。本実施例では、固定レンズＬ１と、光軸方向に移動される３枚のズームレンズＬ２〜Ｌ４を有する構成を例とする。なお、以下の説明において、レンズ鏡筒における光軸Ｘ（図４参照）において固定レンズＬ１が配置される方向を便宜上前方とし、逆の後述する撮像素子が配置される方向を後方とする。また、相対的な配置として、カム部材が配置される方向を便宜上上方とし、レンズ群が配置される方向を下方とする。なお、これら方向は説明のために規定されたものであって、実際の構造上の配置を規定するものではない。
【００１５】
図２はレンズ鏡筒の外観を示す斜視図であり、図３は該レンズ鏡筒の光軸に沿った断面の構造を示す図であり、図４は該レンズ鏡筒の分解斜視図である。また、図１はレンズ鏡筒の筐体（第１固定部材２）に対する第１ズームレンズＬ２の組み付け手順を説明する図であり、図６は第２ズームレンズＬ３の組み付け方手順を説明する図であり、図７は第３ズームレンズＬ４の組み付け手順を説明する図である。図８は、第１ズームレンズＬ２から第３ズームレンズＬ４まで使用時の状態で光軸方向から筐体に組み付けようとする際の各々の部材の位置関係を示す図である。また、図５は本実施例に係るレンズ鏡筒で用いたカム部材の外観を示す斜視図である。
【００１６】
図２に示すように、本実施例に係るレンズ鏡筒１の外観は、第１固定部材２、第２固定部材１２、第３固定部材１３、及びズームモータ１９より構成される。第１固定部材２は前方に固定レンズＬ１が固定されて後方に略矩形状の開口を有した略箱形状からなる。図１等に示されるように、略箱形状の内側において、上部には後述する円筒形状のカム部材１４を光軸Ｘに沿って収容するカム収容部が配置され、下部にはズームレンズ等が収容される立方体のレンズ収容室が配置される。
【００１７】
以下、図３及び図４を参照して、本実施例に係るレンズ鏡筒１の各構成要素について述べる。固定レンズＬ１は第１固定部材２に固定され、変倍作用をさせるための第１ズームレンズＬ２、第２ズームレンズＬ３及び第３ズームレンズＬ４は、各々対応する第１移動枠３、第２移動枠４、及び第３移動枠５に保持される。第１移動枠３は後述する第１ガイドバー２２及び第２ガイドバー２３に支持され、第２移動枠４は第３ガイドバー２４及び第４ガイドバー２５に支持され、第３移動枠５は第５ガイドバー２６及び第６ガイドバー２７に支持される。
【００１８】
これらズームレンズ、移動枠、及びガイドバーは、レンズ収容室内に配置される。その際、各ガイドバーは、光軸Ｘに沿って配置されて一方の端部が第１固定部材２により支持され、他方の端部が第２固定部材１２により支持される。また、カム部材１４は、上述したカム収容部に収容され、後で詳述するように、円筒状の一方の端部が第１固定部材２により、他方の端部が第２固定部材１２により、軸周りに回転可能に支持される。
【００１９】
第１固定部材２と第２固定部材１２との間に配置される絞りユニット６は第２固定部材１２に固定され、レンズ鏡筒１の光量を調整する。第２固定部材１２の内部には光軸Ｘ方向に延在するレンズ収容室が設けられ、その内部にフォーカスレンズＬ５、第５移動枠７、及びこれらに付随する部材が配置される。
【００２０】
第２固定部材１２と第３固定部材１３との間には、フィルタ保持枠９とこれに保持された光学フィルタ８が配置される。第３固定部材１３には、撮像素子１０、撮像素子基板１１、及びこれらに付随する部材が配置される。
【００２１】
光学フィルタ８は赤外カットフィルタであり、可視光での撮影時にレンズ鏡筒１に入射した光線の不要な赤外波長の成分をカットする。レンズ鏡筒１を通過した光線は撮像素子１０で受光され、電気信号に変換される。撮像素子１０は撮像素子基板１１に接続される。
【００２２】
カム部材１４は、両端に設けられた嵌合穴部１４ａ，１４ｂ（図５参照）にベアリング１５，１６が嵌入される。第１固定部材２にはベアリング１５に挿嵌可能な支持軸２ａが設けられており、第２固定部材１２にはベアリング１６に挿嵌可能な支持軸１２ａが設けられている。カム部材１４はこれら支持軸２ａ，１２ａによって、軸周りの回転が可能となるように支持される。また、カム部材１４は、第２固定部材１２側に配置されたワッシャー１８を介して、付勢ばね１７により第１固定部材２の方向に付勢される。
【００２３】
次に、図１を参照して、保持枠とガイドバーとの関係について詳述する。第１移動枠３には、スリーブ部３ａ、Ｕ溝部３ｂ、当接部３ｃ、レンズ保持穴３ｄ、環状枠部３ｅ、及び直線部３ｆが設けられる（図１参照）。第１ズームレンズＬ２は、レンズ保持穴３ｄに嵌め込まれるようにしてこの第１移動枠３に保持される。環状枠部３ｅは、略中央に配置されたレンズ保持穴３ｄと同心に形成された環状の形状を有する。スリーブ部３ａは、この環状枠部３ｅより光軸に垂直に突き出すように設けられたフランジ部の略先端から、環状枠部３ｅが延在する平面より垂直な方向（後方に向けて）に延在するように設けられる。Ｕ溝部３ｂは、この環状枠部３ｅより光軸に垂直に突き出すように設けられたフランジ部おいて外方に開口が向くように設けられる。
【００２４】
当接部３ｃは、環状枠部３ｅの外周近傍の特定範囲において、該環状枠部３ｅから所定高さ、スリーブ部３ａと同じ方向に突き出すように設けられる。直線部３ｆは、環状枠部３ｅの環状部分の内のスリーブ部３ａ及びＵ溝部３ｂを避けて、環状形状の一部を削除することで構成される。後述するように、スリーブ部３ａには第１ガイドバー２２が挿入され、Ｕ溝部３ｂには第２ガイドバー２３が挿入される。第１移動枠３は、これら第１ガイドバー２２及び第２ガイドバー２３により、組み付け後の状態において光軸方向に移動可能に支持される。
【００２５】
第２移動枠４には、スリーブ部４ａ、Ｕ溝部４ｂ、当接部４ｃ、レンズ保持穴４ｄ、環状枠部４ｅ、及びガイド面４ｆが設けられる（図６参照）。第２ズームレンズＬ３は、レンズ保持穴４ｄに嵌め込まれるようにしてこの第２移動枠４に保持される。環状枠部４ｅは、略中央に配置されたレンズ保持穴４ｄと同心に形成された環状の形状を有する。スリーブ部４ａは、この環状枠部４ｅより光軸に垂直に突き出すように設けられたフランジ部の略先端から、環状枠部４ｅが延在する平面より垂直な方向（前後に向けて）に延在するように設けられる。Ｕ溝部４ｂは、この環状枠部４ｅより光軸に垂直に突き出すように設けられたフランジ部おいて外方に開口が向くように設けられる。
【００２６】
当接部４ｃは、環状枠部４ｅの外周近傍の特定範囲において、該環状枠部４ｅから所定高さ、組み付け時において後方に突き出すように設けられる。ガイド面４ｆは、環状枠部４ｅの環状部分の内のスリーブ部４ａ及びＵ溝部４ｂを避けて、該環状枠部４ｅの外周面において、組み付け時に第２ガイドバー２３に対応するように設けられる。後述するように、スリーブ部４ａには第３ガイドバー２４が挿入され、Ｕ溝部４ｂには第４ガイドバー２５が挿入される。第２移動枠４は、これら第３ガイドバー２４及び第４ガイドバー２５により、組み付け後において光軸方向に移動可能に支持される。
【００２７】
第３移動枠５には、スリーブ部５ａ、Ｕ溝部５ｂ、レンズ保持穴５ｄ、環状枠部５ｅ、及びガイド面５ｆが設けられる（図７参照）。第３ズームレンズＬ４は、レンズ保持穴５ｄに嵌め込まれるようにしてこの第３移動枠５に保持される。環状枠部５ｅは、略中央に配置されたレンズ保持穴５ｄと同心に形成された環状の形状を有する。スリーブ部５ａは、この環状枠部５ｅより光軸に垂直に突き出すように設けられたフランジ部の略先端から、環状枠部５ｅが延在する平面より垂直な方向（前後に向けて）に延在するように設けられる。Ｕ溝部５ｂは、この環状枠部５ｅより光軸に垂直に突き出すように設けられたフランジ部おいて外方に開口が向くように設けられる。
【００２８】
ガイド面５ｆは、スリーブ部５ａのためのフランジ部の外側面において、組み付け時に第３ガイドバー２４に対応するように設けられる。後述するように、スリーブ部５ａには第５ガイドバー２６が挿入され、Ｕ溝部５ｂには第６ガイドバー２７が挿入される。第３移動枠５は、これら第５ガイドバー２６及び第６ガイドバー２７により、組み付け後において光軸方向に移動可能に支持される。
【００２９】
第１移動枠３には更に第１カム係合部材３０が設けられており、該第１カム係合部材３０が後述する第１カム溝１４ｄと嵌合することにより、該第１移動枠３の光軸Ｘ上の位置が定まる。第２移動枠４には更に第２カム係合部材３１が設けられており、該第２カム係合部材３１が後述する第２カム溝１４ｅと嵌合することにより、該第２移動枠４の光軸Ｘ上の位置が定まる。同様に、第３移動枠５には更に第３カム係合部材３２が設けられており、該第３カム係合部材３２が後述する第３カム溝１４ｆと嵌合することにより、該第３移動枠５の光軸Ｘ上の位置が定まる。なお、以上に述べたフランジ部の突き出し方向、スリーブの突き出し方向等は例示であり、装置構成時の各構成要素の配置等に応じて適宜変更されてもよい。
【００３０】
図５に示すように、円筒形状のカム部材１４の外周面には、上述した第１カム溝１４ｄ、第２カム溝１４ｅ、及び第３カム溝１４ｆが各々所定の間隔を空けて配置されている。カム部材１４の後方端部の外周面には、ギア部１４ｃが設けられている。ギア部１４ｃは、第２固定部材１２に保持されるズームモータ１９のギア部と噛合う。これにより、ズームモータ１９の駆動力が伝達され、カム部材１４が回転する。第１移動枠３、第２移動枠４及び第３移動枠５の光軸Ｘ方向の位置は、このようにカム部材１４を回転させることで各々の対応するカム溝の軌跡に沿って動くカム係合部材により、それぞれ変化させることができる。
【００３１】
第２固定部材１２の内部のレンズ収容室には、光軸方向に延在する２本のフォーカス用ガイドバー２８，２９が配置される。これらは、一方の端部が第２固定部材１２により、他方の端部が第３固定部材１３により支持される。フォーカスレンズＬ５を支持する第５移動枠７には２つのスリーブが設けられており、これにフォーカス用ガイドバー２８，２９の各々が挿入される。これにより第５移動枠７は光軸方向に移動可能となる。
【００３２】
第５移動枠７には、ラック３３が取り付けられる。また、第２固定部材１２に保持されるフォーカスモータ２０のリードスクリューは、このラック３３と噛合わせられている。これにより、リードスクリューを回転させることで第５移動枠７を光軸Ｘ方向に移動させることができる。
【００３３】
フィルタ保持枠９は、フィルタ切換えモータ２１のアーム部と係合している。本実施例に係るレンズ鏡筒１を用いて、例えば夜間等の低照度下において赤外光を利用して撮影をする場合も想定される。この場合には、フィルタ切換えモータ２１を回転させてフィルタ保持枠９を動かし、光学フィルタ８をレンズ鏡筒１の入射光線の光路から退避させることにより対応ができる。 
【００３４】
なお、以上に述べた絞りユニット６、ズームモータ１９、フォーカスモータ２０、及びフィルタ切換えモータ２１は、ＦＰＣ（フレキシブルプリント基板）３４（図４参照）と接続される。これら構成は、ＦＰＣ３４を介してレンズ鏡筒１の外部と電気的に接続される。これにより、レンズ鏡筒１の外部からの制御が可能となる。
【００３５】
次に、図１、図６、及び図７を参照して、本実施例に係るレンズ鏡筒１において、上述した各保持枠等を組み付けていく詳細な方法について説明する。なお、図１は本実施例のレンズ鏡筒１における第１移動枠３の組み付け時、図６は図１の状態の後の第２移動枠４の組み付け時、図７は図６の状態の後の第３移動枠５の組み付け時についての説明図である。
【００３６】
図１（ａ）に示すように、組み付け時において、先ず第１移動枠３の組み付け前に、第１固定部材２に対して、後方からベアリング１５と共にカム部材１４を挿入して所定位置に配置する。そして、第１ガイドバー２２、第３ガイドバー２４、及び第５ガイドバー２６を、各々第１固定部材２の内部に後方から挿入して、これらを所定位置に固定してＸ軸方向に延在させておく。なお、カム部材１４には組み付け時の回転位置の目印となる凹部１４ｇが設けられている。組み付けに際しては、第１固定部材２に対して、この凹部１４ｇが所定の回転位置となるまでカム部材１４を回転させ、この状態で停止させておく。
【００３７】
次に、図１（ａ）及び図１（ｂ）で示すように、第１移動枠３に保持された第１カム係合部材３０が、光軸Ｘと直交する平面でカム部材１４のギア部１４ｃと重ならない姿勢とする。そして、その姿勢を維持してスリーブ部３ａに第１ガイドバー２２を挿入することで、第１移動枠３は第１固定部材２内に挿入される。その際、第１移動枠３の直線部３ｆは、第１固定部材２の内壁に略当接している。第１移動枠３は第１ガイドバー２２周りに回転可能となっているが、該内壁にこの直線部３ｆが略当接した状態を維持して第１移動枠３を押し込むことで、該第１移動枠３の第１固定部材２に対する姿勢は容易に維持される。
【００３８】
第１固定部材２における第１移動枠３の固定位置近傍には、第１ガイドバー２２を中心にした円弧状の側面を有する第１案内部２ｃが設けられる。この第１案内部２ｃは、第１移動枠３が第１ガイドバー２２を中心に回転した場合に、Ｕ溝部３ｂが設けられた部位の外側が移動する領域に対向し、この回転をガイドするように設けられる。これにより、第１移動枠３は第１ガイドバー２２に沿って第１固定部材２内に挿入される際に、第１案内部２ｃによってＵ溝部３ｂもガイドされる。
【００３９】
第１固定部材２の内部には、更に第１移動枠３を挿入した際の挿入端において、Ｕ溝部３ｂと光軸Ｘ方向で当接する当接部２ｄが設けられている。Ｕ溝部３ｂが当接部２ｄと当接する位置にある時に、第１移動枠３の第１カム係合部材３０と、カム部材１４の第１カム溝１４ｄとが光軸Ｘ方向で互いに組み付け可能な位置関係となる。
【００４０】
図１（ｂ）は、第１移動枠３が当接部２ｄに当接した状態を示している。この状態より、第２ガイドバー２３をＵ溝部３ｂに挿入し、該第２ガイドバー２３を用いて第１移動枠３を図の矢印の方向に押す。第１移動枠３は、スリーブ部３ａと第１ガイドバー２２の係合により、この押圧力によって第１ガイドバー２２を中心として回転する。その際、この回転移動は、第１案内部２ｃによってもガイドされる。
【００４１】
この回転に伴い、図１（ｂ）に示すように第１カム係合部材３０はカム部材１４の方向に移動する。そして、該第１カム係合部材３０を第１カム溝１４ｄに当接する位置まで第１移動枠３を回転させることで、図１（ｃ）に示すように第１カム係合部材３０を第１カム溝１４ｄに係合させることができる。その後、第２ガイドバー２３を第１固定部材２の第１穴部２ｂに固定することにより、第１移動枠３の光軸Ｘと直交する平面内での位置が使用時の状態に定まる。
【００４２】
なお、図１（ｃ）で示すように、使用時の状態では当接部２ｄは第１移動枠３のＵ溝部３ｂと光軸Ｘと直交する平面内で重ならない位置にある。即ち、当接部２ｄは、第１移動枠３の回動後にＵ溝部３ｂと対向する位置までは延在していない。そのため、使用時において、当接部２ｄが第１移動枠３の光軸Ｘ方向の移動範囲を制限することはない。以上のような構成を備えた第１移動枠３等を用いてこの組み付け方法を実施することにより、第１移動枠３を第１固定部材２に対して容易に組み付けることができる。
【００４３】
次に、図１（ｃ）の状態から更に第２移動枠４を組み付ける方法について、図６を参照して説明する。第１移動枠３の組み付け後、図６（ａ）及び図６（ｂ）で示すように、第２移動枠４に保持された第２カム係合部材３１が、光軸Ｘと直交する平面でカム部材１４のギア部１４ｃと重ならない姿勢とする。そして、その姿勢を維持してスリーブ部４ａに第３ガイドバー２４を挿入することで、第２移動枠４は第１固定部材２内に挿入される。その際、第２移動枠４は第３ガイドバー２４に沿うと共に、ガイド面４ｆが当接する第２ガイドバー２３によってガイドされた状態で第１固定部材２に対して光軸Ｘ方向に挿入される。第２移動枠４は第３ガイドバー２４周りに回転可能となっているが、ガイド面４ｆによりガイドされることで、挿入に適した姿勢での挿入操作が可能となる。
【００４４】
第１固定部材２における第２移動枠４の固定位置近傍には、第３ガイドバー２４を中心にした円弧状の側面を有する第２案内部２ｈが設けられる。この第２案内部２ｈは、第２移動枠４が第３ガイドバー２４を中心に回転した場合に、Ｕ溝部４ｂが設けられた部位の外側が移動する領域に対向し、この回転をガイドするように設けられる。第２案内部２ｈの前方方向には該第２案内部２ｈと連続した面を周面の一部として光軸方向に彫り込まれた溝部が設けられ、その底面（前方の溝部奥終端面）として第１平面部２ｇが設けられる。この第１平面部２ｇは、第２案内部２ｈで囲まれ、周囲と段差を有する平面部である。
【００４５】
上述したように、第１移動枠３には、組み付け時に第２移動枠４に向かって光軸Ｘ方向に突き出して、第２移動枠４の挿入端でこれに当接する当接部３ｃが設けられている。第２移動枠４が当接部３ｃと当接することにより、第１移動枠３を介して、第２移動枠４の第２カム係合部材３１と、カム部材１４の第２カム溝１４ｅとが光軸Ｘ方向で互いに組み付け可能な位置関係となる。
【００４６】
図６（ｂ）は、第２移動枠４が当接部３ｃに当接した状態を示している。この状態より、第４ガイドバー２５をＵ溝部４ｂに挿入し、該第４ガイドバー２５を用いて第２移動枠４を図の矢印方向に押す。第２移動枠４は第２案内部２ｈに沿って動き、第４ガイドバー２５も第１平面部２ｇにより光軸方向に移動せずに第２移動枠４と共に移動する。第２移動枠４は、スリーブ部４ａと第３ガイドバー２４の係合により、この押圧力によって第３ガイドバー２４を中心として回転する。その際、この回転移動は第２案内部２ｈによってガイドされる。
【００４７】
この回転に伴い、図６（ｂ）に示すように第２カム係合部材３１はカム部材１４の方向に移動する。そして、該第２カム係合部材３１を第２カム溝１４ｅに当接する位置まで第２移動枠４を回転させることで、図６（ｃ）に示すように第２カム係合部材３１を第２カム溝１４ｅに係合させることができる。その後、第４ガイドバー２５を第１固定部材２の第２穴部２ｅに固定することにより、第２移動枠４の光軸Ｘと直交する平面内での位置が使用時の状態に定まる。
【００４８】
なお、図６（ｃ）で示すように、使用時の状態では第１移動枠３の当接部３ｃは第２移動枠４と光軸Ｘと直交する平面内で重ならない位置にある。即ち、当接部３ｃが径方向に延在する光軸Ｘからの距離は、第２移動枠４の環状枠部４ｅの光軸Ｘからの距離よりも大きく設定されている。従って、第２移動枠４の回動後において、当接部３ｃは第２移動枠４の外側に位置することとなる。そのため、使用時に当接部３ｃが第２移動枠４の光軸Ｘ方向の移動範囲を制限することはない。以上のような構成を備えた第２移動枠４等を用いてこの組み付け方法を実施することにより、第２移動枠４も第１移動枠３と同様に、第１固定部材２に対して容易に組み付けることができる。
【００４９】
次に、図６（ｃ）の状態から更に第３移動枠５を組み付ける方法について、図７を参照して説明する。第２移動枠４の組み付け後、図７（ａ）及び図７（ｂ）で示すように第３、移動枠５に保持された第３カム係合部材３２が、光軸Ｘと直交する平面でカム部材１４のギア部１４ｃと重ならない姿勢とする。そして、その姿勢を維持してスリーブ部５ａに第５ガイドバー２６を挿入することで、第３移動枠５は第１固定部材２内に挿入される。その際、第３移動枠５は第５ガイドバー２６に沿うと共に、ガイド面５ｆが当接する第３ガイドバー２４によってガイドされた状態で第１固定部材２に対して光軸Ｘ方向に挿入される。第３移動枠５は第５ガイドバー２６周りに回転可能となっているが、ガイド面５ｆによりガイドされることで、挿入に適した姿勢での挿入操作が可能となる。
【００５０】
第１固定部材２における第３移動枠５の固定位置近傍には、第５ガイドバー２６を中心にした円弧状の側面を有する第３案内部２ｊが設けられる。この第３案内部２ｊは、第３移動枠５が第５ガイドバー２６を中心に回転した場合に、Ｕ溝部５ｂが設けられた部位の外側が移動する領域に対向し、この回転をガイドするように設けられる。第３案内部２ｊの前方方向には該第３案内部２ｊと連続した面を周面の一部として光軸方向に彫り込まれた溝部が設けられ、その底面（前方の溝部奥終端面）として第２平面部２ｉが設けられる。この第２平面部２ｉは、第３案内部２ｊで囲まれ、周囲と段差を有する平面部である。
【００５１】
上述したように、第２移動枠４には、組み付け時に第３移動枠５に向かって光軸Ｘ方向に突き出して、第３移動枠５の挿入端でこれに当接する当接部４ｃが設けられている。第３移動枠５が当接部４ｃと当接することにより、第２移動枠４を介して、第３移動枠５の第３カム係合部材３２と、カム部材１４の第３カム溝１４ｆとが光軸Ｘ方向で互いに組み付け可能な位置関係となる。
【００５２】
図７（ｂ）は、第３移動枠５が当接部４ｃに当接した状態を示している。この状態より、第６ガイドバー２７をＵ溝部５ｂに挿入し、該第６ガイドバー２７を用いて第３移動枠５を図の矢印の方向に押す。第３移動枠５は第３案内部２ｊに沿って動き、第６ガイドバー２７も第２平面部２ｉにより光軸方向に移動せずに第３移動枠５と共に移動する。第３移動枠５は、スリーブ５ａと第５ガイドバー２６の係合により、この押圧力によって第５ガイドバー２６を中心として回転する。その際、この回転移動は第３案内部２ｊによってガイドされる。
【００５３】
この回転に伴い、図７（ｂ）に示すように第３カム係合部材３２はカム部材１４の方向に移動する。そして、該第３カム係合部材３２を第３カム溝１４ｆに当接する位置まで第３移動枠５を回転させることで、図７（ｃ）に示すように第３カム係合部材３２を第３カム溝１４ｆに係合させることができる。その後、第６ガイドバー２７を第１固定部材２の第３穴部２ｆに固定することにより、第３移動枠５の光軸Ｘと直交する平面内での位置が使用時の状態に定まる。
【００５４】
なお、図７（ｃ）で示すように、使用時の状態では第２移動枠４の当接部４ｃは第３移動枠５と光軸Ｘと直交する平面内で重ならない位置にある。即ち、当接部４ｃが径方向に延在する光軸Ｘからの距離は、第３移動枠５の環状枠部５ｅの光軸Ｘからの距離よりも大きく設定されている。従って、第３移動枠５の回動後において、当接部４ｃは第３移動枠５の外側に位置することとなる。そのため、使用時に当接部４ｃが第３移動枠５の光軸Ｘ方向の移動範囲を制限することはない。以上のような構成を備えた第３移動枠５等を用いてこの組み付け方法を実施することにより、第３移動枠５もまた、第１移動枠３や第２移動枠４と同様に、第１固定部材２に対して容易に組み付けることができる。
【００５５】
ここで、例えば特許文献１に例示した組み立て方法を採用した場合、カム溝とカム係合部材との配置に制約を受けるため、保持部材（移動枠）が増加した場合にはカム溝等を適正位置に配置することが困難となる。これに対して、例えば本実施例の如く側方からではなく光軸方向から保持枠等を組み込むこととすれば、このような制約は無くなる。
【００５６】
この場合、上述した組み付け方法以外の方法も考えられる。例えば、カム部材に対して、その端部から使用時に用いるカム溝まで連続するようにカム溝の長さを延長し、カム係合部がカム溝に係合した状態で各移動枠等を対応するガイドバーを用いて光軸方向に挿入すればよい。これによりカム部材の外周を広範に用いることが可能となり、特許文献１の組み立て方法の場合の設計上の制約より逃れられる。図８は、上述した本実施例のレンズ鏡筒１で用いた各移動枠等をそのまま用い、例えば第１移動枠３、第２移動枠４、及び第５移動枠を使用時の姿勢とし、この姿勢のままで、組み付けを行おうとした場合を例示している。即ち、図８（ａ）のように第１固定部材２に挿入したカム部材１４に対して、該第１固定部材２に固定した第１〜第６ガイドバー２２〜２７に沿って、各移動枠を使用時の姿勢で光軸Ｘ方向に挿入しようとした場合を示している。また、図８（ｂ）は図８（ａ）に示した状態での第１〜第３カム係合部材３０〜３２とカム部材１４との径方向の重なりを示したものである。
【００５７】
しかし、カム部材の端部には、例えば上述したようなギア部１４ｃやベアリング用の嵌合穴部１４ａ，１４ｂが存在する。このため、本実施例のカム部材１４は図５に示すように、各カム溝１４ｄ、１４ｅ、１４ｆの端部が閉じられており、カム部材１４のどちらかの端部と接続され、組立時に各カム係合部材を光軸Ｘ方向に挿入できるような組立用のカム溝を有していない。即ち、実際にはカム溝の配置や深さは、ギア部やベアリングといった構成による制約を受ける。
【００５８】
例えばインナーカム方式のレンズ鏡筒では円筒状のカム部材の内部で移動部材を移動させている。これに対して、上述したように、本実施例に係るサイドカム方式のレンズ鏡筒では、移動部材（保持枠等）に対して側面にカム部材を配置している。このため、移動部材の大きさが同じであれば、サイドカム方式のレンズ鏡筒の方が一般にカム部材の径が小さく、周長は短くなる。
【００５９】
カム部材の径が小さいほど、カム溝はギア部やベアリングとの嵌合穴部と径方向で互いに干渉する配置となる可能性が高くなる。また、カム部材の周長が短いほど、カム溝とギア部が周方向で互いに干渉する配置となる可能性が高くなる。具体的には、本実施例の場合であれば、カム部材１４では、嵌合穴部１４ａ，１４ｂに対して、第１カム溝１４ｄ、第２カム溝１４ｅ、及び第３カム溝１４ｆが径方向に重なりが大きい状態となっている。そのため、実際には、組み立て時において、カム溝に対してカム係合部材をカム部材の端部から光軸Ｘ方向に使用時の姿勢で挿入できるような、カム部材の端部と接続されるような組み立て用のカム溝を設けることは困難である。
【００６０】
これに対し、上述した本実施例における組み付け方法では、カム部材１４に組立用の延長されたカム溝を設けていない。各移動枠（３〜５）を各々対応するガイドバーの一方（２３，２５，２７）をスリーブとせずに移動枠を構成する環状枠部（３ｅ〜５ｅ）と同じ厚さの板に対して設けたＵ溝部（３ｂ，４ｂ，５ｂ）としている。これにより各移動枠（３〜５）を他方のガイドバー（２２，２４，２６）の周りに回転させることを容易としている。このような構成とすることにより、簡易な構成にもかかわらず、上述した組み付け方法を実施して、各カム係合部材（３０〜３２）をカム部材１４のカム溝（１４ｄ，１４ｅ，１４ｆ）に係合させ、光軸方向からの各移動枠（３〜５）の組み付けを可能としている。以上より、本実施例のレンズ鏡筒によれば、サイドカム筒を用いたレンズ鏡筒において、サイドカム筒に組み立て用のカム溝を設けずに、複数の移動部材の光軸方向からの組み付けを容易に行うことができる。
【００６１】
＜第２の実施例＞
上述した第１の実施例では、組立時に各移動枠（３〜５）を対応するガイドバー（２２，２４，２６）の周りに回転させて組み付けを行うこととしている。しかし、組み付け対象とする移動枠と回転可能に係合する部材であれば、移動枠の回転中心とする部材はこれらガイドバーに限られず、他の移動枠や固定部材自体を回転中心としてもよい。以下に述べる第２の実施例では、各移動枠を光軸Ｘ周り（他の移動枠の軸を中心）に回転させることによりその組み付けを可能としている。
【００６２】
以下、図９を参照して第２の実施例について詳述する。なお、上述した第１の実施例において説明した各構成要素と同じ構成要素に関しては同一の参照符号を用いて図中に示すこととし、ここでの説明は省略する。以下では、第１の実施例の構成要素とは異なる構成要素について述べる。
【００６３】
本実施例では、レンズ鏡筒１の第１固定部材１０２に対して、第１移動枠１０３を組み付けた後に第２移動枠１０４を組み付ける際の手順について、図９に示している。本実施例において、第１移動枠１０３は、環状枠部１０３ｅを有する。図９（ｂ）に示すように、第１固定部材１０２には、第１移動枠１０３を組み付ける際に光軸Ｘを中心として配置される環状枠部１０３ｅと係合する、光軸Ｘを中心とする円弧状の壁部１０２ｌが設けられている。なお、この壁部１０２ｌは完全な筒状ではない。使用時における第２カム係合部材３１の動作に伴って、第１移動枠１０３は光軸に垂直な面内で光軸Ｘ周りに回転する。壁部１０２ｌは、第１移動枠１０３からスリーブ１０３ａやＵ溝部１０３ｂを設けるために環状枠部１０３ｅより光軸に垂直に突き出したフランジ部が第２カム係合部材３１の動作に伴って動く範囲以外に設けられている。
【００６４】
図９（ａ）に示すように、第１移動枠１０３には、組み付け時に環状枠部１０３ｅの後方面の周部から後方に突き出した光軸Ｘを中心とする正面視で円弧状の壁部１０３ｄが設けられる。第２移動枠１０４には、組み付け時に光軸Ｘを中心として環状枠部（不図示）から後方に突き出す円筒状の外形部１０４ｄが設けられる。第１移動枠１０３の組み付け後に第２移動枠１０４を組み付ける際に、第２移動枠１０４の外形部１０４ｄが第１移動枠１０３の壁部１０３ｄと回転可能に係合される。その際、図９（ａ）及び図９（ｂ）に示すように、第２移動枠１０４は、該第２移動枠１０４に設けられた第３カム係合部材３２が、光軸Ｘと直交する平面でカム部材１４のギア部１４ｃと重ならない姿勢で、壁部１０３ｄに囲まれた領域内に挿入される。なお、本実施例では、第２移動枠１０４の挿入を容易にするために、壁部１０３ｄの頂部には、該壁部１０３ｄに囲まれた領域に向けて傾斜するテーパー面が設けられている。しかし、該テーパー面は必要に応じて設ければよい。
【００６５】
第１移動枠１０３には組み付け時に第２移動枠１０４と当接させる当接部１０３ｃが設けられている。この当接部１０３ｃは、壁部１０３ｄを切り欠いた部分に設けられており、この切り欠き部分によって、第２移動枠１０４の光軸Ｘに垂直な平面内での光軸Ｘ周りの組み付け時、及びズーム時の回動を可能としている。第２移動枠１０４が当接部１０３ｃと当接するときに、第２移動枠１０４の光軸方向の挿入が停止され、第２カム係合部材３１とカム部材１４の第２カム溝１４ｅとが光軸Ｘ方向で組み付け可能な位置となる。
【００６６】
第２移動枠１０４の光軸Ｘ方向の挿入が停止した状態で、第２移動枠１０４のスリーブ部１０４ａに挿入した第３ガイドバー２４を用いて第２移動枠１０４を図の矢印の方向に押圧する。これにより、第２移動枠１０４は外形部１０４ｄと壁部１０３ｄの係合により光軸Ｘ周りに回転する。この回転に伴い、図９（ｂ）に示すように第２カム係合部材３１はカム部材１４の方向に移動する。
【００６７】
第２カム係合部材３１が第２カム溝１４ｅに当接する位置まで第２移動枠１０４を回転させることにより、図９（ｃ）に示すように第２カム係合部材３１は第２カム溝１４ｅに係合する。係合後、第４ガイドバー２５及び第３ガイドバー２４を第１固定部材１０２の対応する穴部１０２ｆ，１０２ｋに各々固定することにより、第２移動枠１０４の光軸Ｘと直交する平面内での位置が使用時の状態に定まる。
【００６８】
なお、図９（ｃ）で示すように、使用時の状態では第１移動枠１０３の当接部１０３ｃは第２移動枠１０４と光軸Ｘと直交する平面内で重ならない位置にある。即ち、当接部０３ｃが径方向に延在する光軸Ｘからの距離は、第２移動枠１０４の外形部１０４ｄの光軸Ｘからの距離よりも大きく設定されている。従って、第２移動枠１０４の回動後において、当接部１０３ｃは第２移動枠１０４の外側に位置することとなる。そのため、使用時に当接部１０３ｃが第２移動枠１０４の光軸Ｘ方向の移動範囲を制限することはない。
【００６９】
また、外形部１０４ｄと壁部１０３ｄの径方向の隙間は、スリーブ部１０４ａと第３ガイドバー２４及びＵ溝部１０４ｂと第４ガイドバー２５各々の隙間よりも大きい。そのため、使用時において、第２移動枠１０４の光軸Ｘ方向の移動の際に、壁部１０３ｄが第２移動枠１０４に接触することはない。
【００７０】
なお、本実施例では、例えば第１の実施例の如く３つの移動枠を用いる場合であっても、これらの回転中心は光軸Ｘで一致している。従って、３つの移動枠を同時に回転させ始めて、各々のカム係合部材を対応するカム溝に係合させることも可能である。この場合、第１固定部材１０２の円弧状の壁部１０２ｌ及び壁部１０３ｄと同軸で更にこれらの内側に配置可能な壁部と順次設け、各移動枠等に適当な当接面を配すれば、これらの組み付け時のＸ軸方向の配置は規定できる。この場合、各移動枠を回転させて各々のカム係合部材をカム溝に係合させる際の、各移動枠の回転角度は異なる。この回転角度に応じて各壁部を切り欠くことにより、実施際の使用時においてこの壁部各々が他の移動枠の移動への干渉を避けることができる。このような場合、これら壁部は、移動時において各移動枠を連結する連結部として機能させて、これら移動枠の同時回転を行う機能を備える。
【００７１】
上述したように、本発明における組み付け方法は、組み付け時に移動枠と回転可能に係合する部材を用いるのであれば、第１の実施例のようにガイドバー周りで移動枠を回転させる様式に限定されない。本実施例で述べたように、他の移動枠や固定部材周りの回転により、移動部材のカム係合部材をカム部材に係合させる構成によっても、光軸方向からの容易な組み付けを行うが可能である。
【００７２】
第１の実施例では、移動枠（３，４，５）を組み付けるために回転させる際の回転中心は、各々のスリーブに挿入されているガイドバー（２２，２４，２６）となっている。これに対して本実施例では、図９に示したように、組み付け時に第２移動枠１０４を回転させる際の回転軸は、他の移動枠等の光軸Ｘとなっている。従って、第２の実施例では、組み付け時から使用時の状態までの間に、移動枠を回転させる角度が小さくなる。その結果、組み付け時に要する移動枠の回転のために必要となる係合部等への配慮がより容易となる。
【００７３】
以上の実施例でレンズ鏡筒を例として述べたように、本発明は光学装置に関する。この光学装置は、複数の移動部材（移動枠３，４，５，１０３，１０４）、複数のガイドバー（２２〜２７）、移動部材に保持されたカム係合部材（３０〜３２）、カム部材（１４）、及び固定部材（２，１０２）を備える。複数の移動部材の各々は、ズームレンズ（Ｌ２〜Ｌ４）に例示される光学素子を保持する。複数のガイドバーは、移動部材を光軸方向（光軸Ｘ方向）に移動可能に支持する。カム係合部材は、移動部材の各々により一体として保持される。カム部材は、移動部材の側方に配置され、筒状の形状を有してその表面に配されたカム係合部材と係合する複数のカム溝（１４ｄ〜１４ｆ）を有する。また、複数のガイドバーは固定部材によって光軸Ｘと平行に固定、保持される。
【００７４】
以上の構成からなる光学装置において、移動部材の少なくとも一つは、ガイドバー、他の移動部材、及び固定部材の何れかに対して、組立時に回転可能に係合する回転係合部を有する。そして、カム係合部材は、この回転係合部の回転軸周りの回転により対応するカム溝に係合可能とされている。なお、以上の実施例では全ての移動部材について、光軸上の所定位置に配置後に回転させて組み付ける場合を例示しているが、全ての移動部材をこのような手順で組み付けなくともよい。大きさや配置等の要因で、組み付けが困難な移動部材のみをこのような手順により組み付ける構成であっても、本発明は成立する。
【００７５】
例えば第１の実施例では、この回転係合部は、少なくとも一つの移動部材に設けられてガイドバーが挿入されたスリーブが対応する。この場合、この少なくとも一つの移動部材は、ガイドバーに対して回転可能に係合する。なお、この少なくとも一つの移動部材は、ガイドバー周りの回転の前の状態において、固定部材の内壁又はガイドバーに当接してこの移動部材の光軸に垂直な面内の姿勢を安定させるガイド面（３ｆ，４ｆ，５ｆ）を有する。また、第２の実施例では、この回転係合部は、固定部材及び他の移動部材の少なくとも一つに設けられた壁部（１０３ｄ）が対応する。なお、この壁部の内部領域には、先の少なくとも一つの移動部材が光軸中心に回転可能に収容されるが、形状としては部分的に欠落した円筒形状であることから、本明細書ではこれを略円筒状の壁部と称する。少なくとも一つの移動部材は。この壁部に対して、光軸に対して回転可能となるように係合する。
【００７６】
また、組み付け時において、この少なくとも一つの移動部材と、光軸方向の前方に配置される他の移動部材及び固定部材の少なくとも一つとは、光軸方向において所定の位置関係とすることを要する。具体的には、既に配置されているカム部材のカム溝と少なくとも一つの移動部材のカム係合部材とが光軸方向で位置を揃えることを要する。先の他の移動部材及び固定部材の少なくとも一つに対して所定位置を規定する当接面を配し、少なくとも一つの移動部材をこれに当接させることによりこの位置上の配置が行われる。
【００７７】
なお、第２の実施例において、先の少なくとも一つの移動部材と壁部との隙間は、該移動部材に対応するガイドバーと該移動部材との間の隙間よりも大きいことが望ましい。上述したように、このような構成とすることで、実際の使用時において各移動部材が光軸方向に移動しても、この壁部が他の移動部材の移動に干渉することが無くなる。また、この壁部の端面内側には、内側に向けて傾斜するテーパー面が設けられるとよい。これにより、壁部内側に次の移動部材を挿入する際に、スムーズな挿入操作が望める。
【００７８】
また、上述した構成において、他の移動部材及び固定部材の少なくとも一つは、回転係合部の回転軸周りの少なくとも一つの移動部材の回転の際に、カム係合部材をカム溝の方向に案内する案内部（２ｃ，２ｈ，２ｊ，１０３ｄ）を有する。使用時において、移動部材は、Ｕ溝部がガイドバーと係合することによりガイドバーにより支持される。この案内部は、Ｕ溝部が設けられた部位と対向するように固定部材に設けられる。
【００７９】
また、上述した複数の移動部材（移動枠３，４，５，１０３，１０４）、複数のガイドバー（２２〜２７）、移動部材に保持されたカム係合部材（３０〜３２）、カム部材（１４）、及び固定部材（２，１０２）を備えた光学装置の製造方法も本発明の一態様とする。この製造方法では、ガイドバー、他の移動部材、固定部材の何れかを基準として、固定部材に対して移動部材の少なくとも一つを所定の角度傾けた状態で、少なくとも一つの移動部材を光軸方向に移動させて、前記光軸方向において固定部材と所定の位置関係とする。その後、先の基準を回転中心として少なくとも一つの移動部材を回転させて、該移動部材が保持するカム係合部材をカム部材の対応するカム溝に係合させる。これら工程を経ることによりカム部材に特別のカム溝を設けなくとも、簡易な方法によってレンズ鏡筒等の光学装置を製造することができる。
【００８０】
なお、以上の工程において、少なくとも一つの移動部材は、固定部材及び他の移動部材の少なくとも一つに設けられた略円筒状の壁部の内に収容されることで光軸方向において固定部材と所定の位置関係とされる。この場合、この少なくとも一つの移動部材は壁部の内で光軸を中心に回転され。更に、壁部が設けられた固定部材及び他の移動部材の少なくとも一つと該移動部材とは、壁部を連結部材として、固定部材及び他の移動部材の少なくとも一つと該移動部材とが同時に回転を始められるとよい。この場合、カム係合部材がカム溝に係合した状態では、この壁部による連結は解除されるとよい。
【００８１】
以上、実施例を参照して本発明の好ましい形態について説明したが、本発明はこれらの実施例に限定されるものではない。本発明の趣旨に反しない範囲で変更された発明、及び本発明と均等な発明も本発明に含まれる。また、各実施例は、本発明の趣旨に反しない範囲で適宜組み合わせることができる。
【産業上の利用可能性】
【００８２】
例えば、監視カメラのようにレンズ鏡筒の方向をチルト方向に回転させて使用する撮像装置の場合、チルト回転用の支持部がレンズ鏡筒の左右側面に配置される場合が多い。インナーカム方式のズーム機能を有したレンズ鏡筒の場合、外形がカム部材の形に沿って円筒状となり、外形が大きくなる。これに対し、サイドカム方式のズーム機能を有したレンズ鏡筒の場合、移動部材（移動枠）の上面か下面にカム部材を配置でき、上下方向に縦長な外形になり、左右方向に外形が小さくなる。従って、監視カメラのレンズ鏡筒には、上述した本発明に係るサイドカム方式を用いたレンズ鏡筒が有利となる場合がある。本発明は、このような監視カメラに適用することが好適であると考えられる。
【００８３】
なお、上述した実施例では、本発明を複数のズームレンズを備え、これらズームレンズを駆動するレンズ鏡筒を例として説明している。しかし、本発明の適用対象は実施例の態様に限られず、他のレンズ、光学フィルタ、これらの組み合わせ等からなる光学装置における光学部材を移動する用途に適用することができる。更には、このような光学装置、及び該光学装置により得た像を撮像する撮像素子を備えた種々の撮像装置や光学機器に適用することができる。
【符号の説明】
【００８４】
１：レンズ鏡筒、  ２、１２、１３、１０２：固定部材、  ３、４、５、７、１０３、１０４：移動枠、  ６：絞リユニット、  ９：フィルタ保持枠、  １０：撮像素子、  １４：カム部材、  １５、１６：ベアリング、  ２２〜２９：ガイドバー、  ３０、３１、３２：カム係合部材
【図１】
2019211700.tif 000003
【図２】
2019211700.tif 000004
【図３】
2019211700.tif 000005
【図４】
2019211700.tif 000006
【図５】
2019211700.tif 000007
【図６】
2019211700.tif 000008
【図７】
2019211700.tif 000009
【図８】
2019211700.tif 000010
【図９】
2019211700.tif 000011